(57)【要約】【課題】コンテンツの不正再生を防止しつつ、安全で確実にコンテンツ代金の回収を行うコンテンツ配信システムを実現する。【解決手段】コンテンツ提供システム２００は、コンテンツを再生する携帯電話機１に対して、暗号化コンテンツ（Ｄ２）を送信するコンテンツ暗号化部４２と、各コンテンツに対応した、再生制限を解除するための権利情報を記録する権利情報ＤＢ７１と、携帯電話機１のユーザから受け付けた購入要求メッセージ（Ｄ３）に含まれる、コンテンツＩＤに基づいて、購入されたコンテンツを特定する端末ＩＤ取得部６１と、上記特定されたコンテンツに対応する権利情報を、権利情報ＤＢ７１から特定する権利情報生成部６３と、携帯電話機１が読み取り可能であって、携帯電話機１に上記権利情報を受け渡す手段としての記録媒体に、上記特定された権利情報を記録する権利情報出力部６４とを備えている。【選択図】図１
2008134739.tif 000002
【特許請求の範囲】
【請求項１】
コンテンツを再生するコンテンツ再生装置に対して、通信ネットワークを介して、再生制限がかけられているコンテンツを送信するコンテンツ送信手段と、
再生制限がかけられている各コンテンツに対応した、再生制限を解除するための権利情報を記録する権利情報記録部と、
上記コンテンツ再生装置の利用者から受け付けた上記コンテンツの購入要求に含まれる、上記コンテンツを特定するためのコンテンツ特定情報に基づいて、購入されたコンテンツを特定するコンテンツ特定手段と、
上記コンテンツ特定手段によって特定されたコンテンツに対応する権利情報を、上記権利情報記録部から特定する権利情報特定手段と、
上記コンテンツ再生装置が読み取り可能であって、該コンテンツ再生装置に上記権利情報を受け渡す手段としての記録媒体に、上記権利情報特定手段によって特定された権利情報を記録する権利情報記録手段とを備えていることを特徴とするコンテンツ提供システム。
【請求項２】
上記コンテンツ送信手段を備えるコンテンツ提供サーバと、
上記権利情報記録部、上記コンテンツ特定手段、上記権利情報特定手段、および、上記権利情報記録手段を備える１または複数の権利情報出力装置とを含むことを特徴とする請求項１に記載のコンテンツ提供システム。
【請求項３】
上記コンテンツ提供サーバは、
上記利用者のコンテンツ再生装置から通信ネットワークを介して受け付けた購入要求に含まれる、該コンテンツ再生装置を特定する端末特定情報と上記コンテンツ特定情報とを関連付けて受注情報記録部に記録する受注管理手段を備え、
上記権利情報出力装置は、
上記受注情報記録部に接続する通信手段を備え、
上記コンテンツ特定手段は、
上記コンテンツ再生装置から受け付けた、該コンテンツ再生装置を特定する端末特定情報に基づいて、上記通信手段により接続された上記受注情報記録部から、購入されたコンテンツを特定することを特徴とする請求項２に記載のコンテンツ提供システム。
【請求項４】
上記再生制限は、コンテンツを部分的に再生不可能にする再生制限であることを特徴とする請求項１に記載のコンテンツ提供システム。
【請求項５】
請求項１から４のいずれか１項に記載のコンテンツ提供システムから、通信ネットワークを介して、上記再生制限がかけられているコンテンツを受信するコンテンツ受信手段と、
上記権利情報を受け渡す手段としての記録媒体から上記権利情報を取得する権利情報取得手段と、
上記権利情報取得手段が取得した権利情報を用いて、上記コンテンツの再生制限を解除する制限解除手段とを備えていることを特徴とするコンテンツ再生装置。
【請求項６】
コンテンツを配信するコンテンツ再生システムから、通信ネットワークを介して、上記再生制限がかけられているコンテンツを受信するコンテンツ受信手段と、
上記コンテンツ受信手段が受信した上記コンテンツの再生制限を解除するための権利情報を受け渡す手段としての記録媒体から、該権利情報を取得する権利情報取得手段と、
上記権利情報取得手段が取得した権利情報を用いて、上記コンテンツの再生制限を解除する制限解除手段とを備えていることを特徴とするコンテンツ再生装置。
【請求項７】
請求項１から４のいずれか１項に記載のコンテンツ提供システムと、
請求項５または６に記載のコンテンツ再生装置とを含むことを特徴とするコンテンツ配信システム。
【請求項８】
上記権利情報は、上記記録媒体に印字されたバーコードであり、
上記権利情報取得手段は、上記記録媒体に印字されたバーコードを撮像し、撮像したバーコードの画像を識別して権利情報を取得することを特徴とする請求項７に記載のコンテンツ配信システム。
【請求項９】
上記記録媒体には、上記バーコードの印字領域を隠蔽する隠蔽部が設けられており、
上記バーコードは、上記隠蔽部を除去したのち所定時間経過後に消去されるよう印字されていることを特徴とする請求項８に記載のコンテンツ配信システム。
【請求項１０】
コンテンツを再生するコンテンツ再生装置に対して、通信ネットワークを介して、再生制限がかけられているコンテンツを送信するコンテンツ送信ステップと、
上記コンテンツ再生装置の利用者から受け付けた上記コンテンツの購入要求に含まれる、上記コンテンツを特定するためのコンテンツ特定情報に基づいて、購入されたコンテンツを特定するコンテンツ特定ステップと、
上記コンテンツ特定ステップによって特定されたコンテンツに対応する権利情報を、再生制限がかけられている各コンテンツに対応した、再生制限を解除するための権利情報を記録する権利情報記録部から特定する権利情報特定ステップと、
上記コンテンツ再生装置が読み取り可能であって、該コンテンツ再生装置に上記権利情報を受け渡す手段としての記録媒体に、上記権利情報特定ステップにて特定された権利情報を記録する権利情報記録ステップとを含むことを特徴とするコンテンツ提供システムの制御方法。
【請求項１１】
請求項１から４のいずれか１項に記載のコンテンツ提供システムから、通信ネットワークを介して、上記再生制限がかけられているコンテンツを受信するコンテンツ受信ステップと、
上記権利情報を受け渡す手段としての記録媒体から上記権利情報を取得する権利情報取得ステップと、
上記権利情報取得ステップにて取得した権利情報を用いて、上記コンテンツの再生制限を解除する制限解除ステップとを含むことを特徴とするコンテンツ再生装置の制御方法。
【請求項１２】
コンテンツを配信するコンテンツ再生システムから、通信ネットワークを介して、上記再生制限がかけられているコンテンツを受信するコンテンツ受信ステップと、
上記コンテンツ受信ステップにて受信した上記コンテンツの再生制限を解除するための権利情報を受け渡す手段としての記録媒体から、該権利情報を取得する権利情報取得ステップと、
上記権利情報取得ステップにて取得した権利情報を用いて、上記コンテンツの再生制限を解除する制限解除ステップとを含むことを特徴とするコンテンツ再生装置の制御方法。
【請求項１３】
コンピュータを、請求項１から４のいずれか１項に記載のコンテンツ提供システム、請求項５または６に記載のコンテンツ再生装置、または、請求項７から９のいずれか１項に記載のコンテンツ配信システムの各手段として機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、コンテンツをユーザのコンテンツ再生装置に配信するコンテンツ提供システム、コンテンツ再生装置、コンテンツ配信システム、コンテンツ提供システムの制御方法、コンテンツ再生装置の制御方法、制御プログラム、および、記録媒体に関するものである。
【背景技術】
【０００２】
近年、情報通信技術の発達に伴い、音楽データや映像データなどの大容量のマルチメディアコンテンツを快適な速さで通信網を介して送受信できるようになってきている。ユーザは、通信網を介して所望のコンテンツを簡単にサーバから自分のコンテンツ再生装置にダウンロードして、該コンテンツを快適に楽しむことができる。
【０００３】
しかし、このようにコンテンツを容易に取得し利用することが可能になった反面、有料コンテンツや、著作権で利用が制限されているコンテンツが正規ユーザ以外にも不正に利用されることが増えてきている。これは、デジタルコンテンツは簡単にコピーして利用できるためである。これらの不正利用に対抗するための著作権保護対策やコンテンツ不正利用防止対策は、コンテンツを提供することで利益を得るコンテンツ提供業者にとって避けられない課題である。
【０００４】
有料コンテンツの代価を確実に回収して不正利用を防止するためのコンテンツ配信システムとしては、例えば、特許文献１の音楽配信システムが挙げられる。
【０００５】
特許文献１には、曲（コンテンツ）のＩＤを印字したカードを端末機のユーザに購入させ、上記ＩＤに基づき端末機が要求した曲を、サーバが上記ＩＤを照合して端末機に配信する音楽配信システムが開示されている。ユーザにカードを購入させることにより曲の代価を確実に回収している。
【０００６】
しかしながら、特許文献１の技術では、曲の不正流出の可能性が考慮されていない。したがって、曲がサーバから端末機に配信されるまでの間にネットワーク上で曲が不正に入手されたり、不正コピーされたりして、正規ユーザ以外の端末機で不正に再生されることを防止できないという問題がある。
【０００７】
このような不正利用を防止するための著作権保護（ＤＲＭ；Ｄｉｇｉｔａｌ  Ｒｉｇｈｔｓ  Ｍａｎａｇｅｍｅｎｔ）技術として、Ｓｅｐａｒａｔｅ  Ｄｅｌｉｖｅｒｙ方式が一般に利用されている（非特許文献１を参照）。
【０００８】
非特許文献１の方式では、コンテンツ（Media Object）が暗号化などの処理によって、利用（再生）できない状態で配信され、コンテンツを利用可能にする権利情報（Right Object）が別に提供（販売）される。これにより、ユーザは曲を自由に入手／コピーできる一方で、コンテンツの正規利用のために必ず権利情報を購入しなければならない仕組みになっている。これにより、コンテンツが不正に再生されることを防止し、コンテンツ提供業者が確実に課金の機会を得られるコンテンツ配信システムを実現することができる。
【特許文献１】特開２００３−１５６６０号公報（２００３年１月１７日公開）
【非特許文献１】"Digital Rights Management-Approved Version 1.0-15 Jun 2004"、［online］、平成１６年６月１５日、ＯＭＡ（Open Mobile Alliance）、［２００６年１０月２４日検索］、インターネット＜URL：http://www.openmobilealliance.org/release_program/docs/DRM/V1_0-20040625-A/OMA-Download-DRM-V1_0-20040615-A.pdf＞
【発明の開示】
【発明が解決しようとする課題】
【０００９】
しかしながら、上記従来の技術では、以下の問題を生じる。具体的には、コンテンツ配信システムを非特許文献１の方式で実現した場合、課金の方法としては、オンライン決済システムが採用される。これは、上記権利情報は一般にＸＭＬデータであってオンラインで配信されるため、それと引き換えにコンテンツの代価を回収する必要があるからである。
【００１０】
しかしながら、オンライン決済システムでは、クレジットカード情報が漏洩するなどの虞がある。さらに、このようなオンライン決済システムを、セキュリティ面で脆弱な携帯電話機などをユーザ端末機として含むコンテンツ配信システムに採用するのはセキュリティ上特に好ましくないという問題がある。
【００１１】
本発明は、上記の問題点に鑑みてなされたものであり、その目的は、コンテンツの不正再生を防止しつつ、安全で確実にコンテンツ代金の回収を行うコンテンツ提供システム、コンテンツ再生装置、コンテンツ配信システム、コンテンツ提供システムの制御方法、コンテンツ再生装置の制御方法、制御プログラム、および、記録媒体を実現することにある。
【課題を解決するための手段】
【００１２】
本発明のコンテンツ提供システムは、上記課題を解決するために、コンテンツを再生するコンテンツ再生装置に対して、通信ネットワークを介して、再生制限がかけられているコンテンツを送信するコンテンツ送信手段と、再生制限がかけられている各コンテンツに対応した、再生制限を解除するための権利情報を記録する権利情報記録部と、上記コンテンツ再生装置の利用者から受け付けた上記コンテンツの購入要求に含まれる、上記コンテンツを特定するためのコンテンツ特定情報に基づいて、購入されたコンテンツを特定するコンテンツ特定手段と、上記コンテンツ特定手段によって特定されたコンテンツに対応する権利情報を、上記権利情報記録部から特定する権利情報特定手段と、上記コンテンツ再生装置が読み取り可能であって、該コンテンツ再生装置に上記権利情報を受け渡す手段としての記録媒体に、上記権利情報特定手段によって特定された権利情報を記録する権利情報記録手段とを備えていることを特徴としている。
【００１３】
上記構成によれば、コンテンツ送信手段は、まず、コンテンツ再生装置が再生するコンテンツを、再生制限がかけられている状態で、通信ネットワークを介して送信する。再生制限がかけられているコンテンツとは、権利情報を取得しなければ完全に再生することができない状態のコンテンツである。
【００１４】
上記コンテンツの再生制限を解除するための権利情報は、コンテンツごとに権利情報記録部に記録されている。
【００１５】
次に、コンテンツ特定手段は、コンテンツ再生装置の利用者によって上記コンテンツの購入要求が行われると、コンテンツ提供システムが受け付けた購入要求に含まれるコンテンツ特定情報に基づいて、利用者により購入されたコンテンツを特定する。
【００１６】
続いて、上記権利情報特定手段は、上記コンテンツ特定手段が特定したコンテンツの再生制限を解除するための権利情報を、上記権利情報記録部から特定する。
【００１７】
最後に、上記権利情報記録手段は、上記権利情報特定手段が特定した権利情報を記録媒体に記録する。上記記録媒体は、上記コンテンツ再生装置が読み取り可能であって、該コンテンツ再生装置に上記権利情報を受け渡す手段としての記録媒体、すなわち、該コンテンツ再生装置の利用者に手渡すことが可能な記録媒体である。
【００１８】
上述のとおり、コンテンツの再生を可能にする権利情報を、利用者に手渡すことが可能な記録媒体にして出力することにより、コンビニエンスストアなどの店舗において、上記記録媒体をコンテンツ再生装置の利用者に直接販売することが可能となる。
【００１９】
すなわち、インターネットなど傍受される虞のある公衆通信網を介さずに、コンテンツ再生装置の利用者から現金（またはクレジットカードなど）を直接受け取ることによって、上記店舗にて、上記コンテンツの代価を回収することができる。
【００２０】
以上のことから、インターネットなどの公衆通信網によるオンライン決済ではなく、権利情報をカードで出力し、コンテンツの代価を直接回収するという形態で金品の授受を実現することが可能となる。また、コンテンツは、自由に配信されるとしても、再生制限のかかったコンテンツであるので不正利用されることはない。
【００２１】
結果として、コンテンツの不正再生を防止しつつ、安全で確実にコンテンツ代金の回収を行うコンテンツ配信システムを構築することが可能となる。
【００２２】
上記コンテンツ提供システムは、上記コンテンツ送信手段を備えるコンテンツ提供サーバと、上記権利情報記録部、上記コンテンツ特定手段、上記権利情報特定手段、および、上記権利情報記録手段を備える１または複数の権利情報出力装置とを含んでいてもよい。
【００２３】
上記構成によれば、コンテンツ再生装置に対してコンテンツを提供するコンテンツ提供サーバとは別にして、権利情報を記録媒体として出力する権利情報出力装置を、複数設けることができる。
【００２４】
これにより、上記記録媒体を販売して、コンテンツ代価を回収する機会を、より多くの様々な場所に設けることが可能となる。
【００２５】
利用者が立ち寄るのに都合のよいコンビニエンスストアなどの店舗に上記権利情報出力装置を設置することで、代金回収の安全性・確実性は維持したまま、コンテンツを購入する機会を大幅に増やすことができ、利用者の利便性が向上する。これにより、コンテンツ提供事業者の収益の向上にもつながる。
【００２６】
さらに、上記コンテンツ提供サーバは、上記利用者のコンテンツ再生装置から通信ネットワークを介して受け付けた購入要求に含まれる、該コンテンツ再生装置を特定する端末特定情報と上記コンテンツ特定情報とを関連付けて受注情報記録部に記録する受注管理手段を備え、上記権利情報出力装置は、上記受注情報記録部に接続する通信手段を備え、上記コンテンツ特定手段は、上記コンテンツ再生装置から受け付けた、該コンテンツ再生装置を特定する端末特定情報に基づいて、上記通信手段により接続された上記受注情報記録部から、購入されたコンテンツを特定することが好ましい。
【００２７】
上記構成によれば、コンテンツ提供サーバの受注管理手段は、コンテンツ再生装置からの購入要求を受け付けて、上記受注情報記録部にて、コンテンツ再生装置と、提供すべきコンテンツとの紐付けを管理する。
【００２８】
そして、権利情報出力装置のコンテンツ特定手段は、コンテンツ再生装置から上記端末特定情報を受け付けると、上記通信手段を介して、上記端末特定情報に紐付けられているコンテンツを示すコンテンツ特定情報を、上記受注情報記録部から取得して、上記コンテンツ再生装置の利用者に購入されたコンテンツを特定する。
【００２９】
これにより、コンテンツ提供システムの機能が、コンテンツの受注の機能と、権利情報の販売の機能とで、複数の装置に分散している場合でも、コンテンツ再生装置と購入コンテンツとの紐付けを適切に管理することができる。すなわち、コンテンツ提供システムが、コンテンツ再生装置からコンテンツの購入を受け付けて課金処理を行う装置（コンテンツ提供サーバ）と、権利情報を出力してコンテンツ代価を回収する装置（権利情報出力装置）とに分かれていても、コンテンツ再生装置の利用者が、自身のコンテンツ再生装置の端末特定情報を権利情報出力装置に入力するだけで、権利情報出力装置は、正しい権利情報を特定し、上記利用者に販売することができる。
【００３０】
このように、利用者は、自身のコンテンツ再生装置の端末特定情報を、権利情報出力装置のコンテンツ特定手段に読み取らせるだけでよく、コンテンツ提供システムが分散されたからといって、権利情報出力装置に対して、購入コンテンツを指定したり、コンテンツ特定情報を入力したりする操作を別途行う必要がない。
【００３１】
したがって、利用者の購入操作を繁雑にすることなく、権利情報出力装置をさまざまな場所に複数設置することが可能になる。
【００３２】
以上のことから、権利情報の受け渡し、および、コンテンツ代金回収についての安全性・確実性を維持して金品の授受の機会を増やし、さらに、利用者の利便性を向上させることが可能となる。これにより、利用者がコンテンツを購入する機会が増えることから、コンテンツ提供事業者の収益を上げることにもつながる。
【００３３】
なお、上記コンテンツの上記再生制限は、コンテンツを部分的に再生不可能にする再生制限であることが好ましい。
【００３４】
このような、再生制限がかかっているコンテンツをコンテンツ送信手段が送信すれば、上記コンテンツ再生装置は、該コンテンツを受信して、コンテンツに含まれる再生不可能でない部分を再生することが可能となる。
【００３５】
これにより、利用者は、コンテンツの購入要求を行う前に、上記コンテンツの一部のみを試聴することが可能となる。
【００３６】
したがって、コンテンツの不正再生を防止しつつも、利用者に、購入前にコンテンツを無料で試聴させて購入意欲の向上を図ることで、販売促進の効果が期待できる。
【００３７】
本発明のコンテンツ再生装置は、上記課題を解決するために、上述のコンテンツ提供システムから、通信ネットワークを介して、上記再生制限がかけられているコンテンツを受信するコンテンツ受信手段と、上記権利情報を受け渡す手段としての記録媒体から上記権利情報を取得する権利情報取得手段と、上記権利情報取得手段が取得した権利情報を用いて、上記コンテンツの再生制限を解除する制限解除手段とを備えていることを特徴としている。
【００３８】
本発明のコンテンツ再生装置は、上記課題を解決するために、コンテンツを配信するコンテンツ再生システムから、通信ネットワークを介して、上記再生制限がかけられているコンテンツを受信するコンテンツ受信手段と、上記コンテンツ受信手段が受信した上記コンテンツの再生制限を解除するための権利情報を受け渡す手段としての記録媒体から、該権利情報を取得する権利情報取得手段と、上記権利情報取得手段が取得した権利情報を用いて、上記コンテンツの再生制限を解除する制限解除手段とを備えていることを特徴としている。
【００３９】
上記構成によれば、上記コンテンツ再生装置の利用者が上記コンテンツ提供システムにて出力された権利情報を記録した記録媒体を購入した後、上記コンテンツ再生装置の上記権利情報取得手段が、上記記録媒体から権利情報を取得する。続いて、上記制限解除手段は、上記コンテンツ受信手段により上記コンテンツ提供システムから取得され、購入要求が行われたコンテンツの再生制限を、上記取得した権利情報を用いて解除する。
【００４０】
これにより、利用者は、購入したコンテンツを完全に利用することが可能となる。
【００４１】
さらに、上記権利情報取得手段は、上記権利情報からコンテンツ特定情報を取得し、上記制限解除手段は、上記取得されたコンテンツ特定情報に基づいて、解除対象のコンテンツを特定することが好ましい。
【００４２】
これにより、コンテンツ再生装置に、コンテンツ提供システムから受信したコンテンツおよび記録媒体から取得された権利情報が、複数保存されている場合でも、コンテンツ再生装置は、コンテンツを、常に、適切な権利情報を用いて再生することが可能となる。
【００４３】
本発明のコンテンツ配信システムは、上記課題を解決するために、上述のコンテンツ提供システムと、上述のコンテンツ再生装置とを含むことを特徴としている。
【００４４】
これにより、上記コンテンツ再生装置において、コンテンツが不正再生されることを防止しつつ、上記コンテンツ再生装置の利用者から安全で確実にコンテンツ代金の回収を行うコンテンツ配信システムを構築することが可能となる。
【００４５】
なお、上記コンテンツ再生装置が、セキュリティ面で脆弱な携帯電話機などである場合には、クレジットカード情報が漏洩するなどの虞があるオンライン決済システムを採用せずにコンテンツ配信システムを実現することが可能となるので、特に効果が大きい。
【００４６】
上記権利情報は、上記記録媒体に印字されたバーコードであり、上記権利情報取得手段は、上記記録媒体に印字されたバーコードを撮像し、撮像したバーコードの画像を識別して権利情報を取得してもよい。
【００４７】
これにより、権利情報を、バーコードが印字された記録媒体（例えば、紙でできた安価なカードなど）で販売し、安全かつ確実にコンテンツ代価を回収することが可能となる。また、コンテンツ再生装置は、上記バーコードを撮像し、画像認識を行って権利情報を復号することによって、他人に傍受されることなく権利情報を取得することが可能となる。
【００４８】
さらに、上記記録媒体には、上記バーコードの印字領域を隠蔽する隠蔽部が設けられており、上記バーコードは、上記隠蔽部を除去したのち所定時間経過後に消去されるよう印字されていてもよい。
【００４９】
これにより、上記記録媒体に記録されている権利情報の濫用を抑止することが可能となる。
【００５０】
本発明のコンテンツ提供システムの制御方法は、上記課題を解決するために、コンテンツを再生するコンテンツ再生装置に対して、通信ネットワークを介して、再生制限がかけられているコンテンツを送信するコンテンツ送信ステップと、上記コンテンツ再生装置の利用者から受け付けた上記コンテンツの購入要求に含まれる、上記コンテンツを特定するためのコンテンツ特定情報に基づいて、購入されたコンテンツを特定するコンテンツ特定ステップと、上記コンテンツ特定ステップによって特定されたコンテンツに対応する権利情報を、再生制限がかけられている各コンテンツに対応した、再生制限を解除するための権利情報を記録する権利情報記録部から特定する権利情報特定ステップと、上記コンテンツ再生装置が読み取り可能であって、該コンテンツ再生装置に上記権利情報を受け渡す手段としての記録媒体に、上記権利情報特定ステップにて特定された権利情報を記録する権利情報記録ステップとを含むことを特徴としている。
【００５１】
上記方法によれば、インターネットなどの公衆通信網によるオンライン決済ではなく、権利情報を、権利情報記録ステップにて、カードなどの記録媒体で出力し、コンテンツの代価を直接回収するという形態で金品の授受を実現することが可能となる。また、コンテンツは、自由に配信されるとしても、再生制限のかかったコンテンツであるので不正利用されることはない。
【００５２】
結果として、コンテンツの不正再生を防止しつつ、安全で確実にコンテンツ代金の回収を行うことが可能となる。
【００５３】
本発明のコンテンツ再生装置の制御方法は、上記課題を解決するために、上述のコンテンツ提供システムから、通信ネットワークを介して、上記再生制限がかけられているコンテンツを受信するコンテンツ受信ステップと、上記権利情報を受け渡す手段としての記録媒体から上記権利情報を取得する権利情報取得ステップと、上記権利情報取得ステップにて取得した権利情報を用いて、上記コンテンツの再生制限を解除する制限解除ステップとを含むことを特徴としている。
【００５４】
本発明のコンテンツ再生装置の制御方法は、上記課題を解決するために、コンテンツを配信するコンテンツ再生システムから、通信ネットワークを介して、上記再生制限がかけられているコンテンツを受信するコンテンツ受信ステップと、上記コンテンツ受信ステップにて受信した上記コンテンツの再生制限を解除するための権利情報を受け渡す手段としての記録媒体から、該権利情報を取得する権利情報取得ステップと、上記権利情報取得ステップにて取得した権利情報を用いて、上記コンテンツの再生制限を解除する制限解除ステップとを含むことを特徴としている。
【００５５】
上記方法によれば、コンテンツ受信ステップにて受信した、購入コンテンツを、上記コンテンツ提供システムから購入した記録媒体に記録される権利情報を用いて再生することが可能となる。
【００５６】
なお、上記コンテンツ提供システム、上記コンテンツ再生装置、および、上記コンテンツ配信システムは、コンピュータによって実現してもよく、この場合には、コンピュータを上記各手段として動作させることにより上記コンテンツ提供システム、上記コンテンツ再生装置、または、上記コンテンツ配信システムをコンピュータにて実現させる上記コンテンツ提供システム、上記コンテンツ再生装置、または、上記コンテンツ配信システムの制御プログラム、および、それを記録したコンピュータ読み取り可能な記録媒体も、本発明の範疇に入る。
【発明の効果】
【００５７】
本発明のコンテンツ提供システムは、コンテンツを再生するコンテンツ再生装置に対して、通信ネットワークを介して、再生制限がかけられているコンテンツを送信するコンテンツ送信手段と、再生制限がかけられている各コンテンツに対応した、再生制限を解除するための権利情報を記録する権利情報記録部と、上記コンテンツ再生装置の利用者から受け付けた上記コンテンツの購入要求に含まれる、上記コンテンツを特定するためのコンテンツ特定情報に基づいて、購入されたコンテンツを特定するコンテンツ特定手段と、上記コンテンツ特定手段によって特定されたコンテンツに対応する権利情報を、上記権利情報記録部から特定する権利情報特定手段と、上記コンテンツ再生装置が読み取り可能であって、該コンテンツ再生装置に上記権利情報を受け渡す手段としての記録媒体に、上記権利情報特定手段によって特定された権利情報を記録する権利情報記録手段とを備えていることを特徴としている。
【００５８】
本発明のコンテンツ再生装置は、上述のコンテンツ提供システムから、通信ネットワークを介して、上記再生制限がかけられているコンテンツを受信するコンテンツ受信手段と、上記権利情報を受け渡す手段としての記録媒体から上記権利情報を取得する権利情報取得手段と、上記権利情報取得手段が取得した権利情報を用いて、上記コンテンツの再生制限を解除する制限解除手段とを備えていることを特徴としている。
【００５９】
本発明のコンテンツ再生装置は、コンテンツを配信するコンテンツ再生システムから、通信ネットワークを介して、上記再生制限がかけられているコンテンツを受信するコンテンツ受信手段と、上記コンテンツ受信手段が受信した上記コンテンツの再生制限を解除するための権利情報を受け渡す手段としての記録媒体から、該権利情報を取得する権利情報取得手段と、上記権利情報取得手段が取得した権利情報を用いて、上記コンテンツの再生制限を解除する制限解除手段とを備えていることを特徴としている。
【００６０】
本発明のコンテンツ配信システムは、上述のコンテンツ提供システムと、上述のコンテンツ再生装置とを含むことを特徴としている。
【００６１】
本発明のコンテンツ提供システムの制御方法は、コンテンツを再生するコンテンツ再生装置に対して、通信ネットワークを介して、再生制限がかけられているコンテンツを送信するコンテンツ送信ステップと、上記コンテンツ再生装置の利用者から受け付けた上記コンテンツの購入要求に含まれる、上記コンテンツを特定するためのコンテンツ特定情報に基づいて、購入されたコンテンツを特定するコンテンツ特定ステップと、上記コンテンツ特定ステップによって特定されたコンテンツに対応する権利情報を、再生制限がかけられている各コンテンツに対応した、再生制限を解除するための権利情報を記録する権利情報記録部から特定する権利情報特定ステップと、上記コンテンツ再生装置が読み取り可能であって、該コンテンツ再生装置に上記権利情報を受け渡す手段としての記録媒体に、上記権利情報特定ステップにて特定された権利情報を記録する権利情報記録ステップとを含むことを特徴としている。
【００６２】
本発明のコンテンツ再生装置の制御方法は、上述のコンテンツ提供システムから、通信ネットワークを介して、上記再生制限がかけられているコンテンツを受信するコンテンツ受信ステップと、上記権利情報を受け渡す手段としての記録媒体から上記権利情報を取得する権利情報取得ステップと、上記権利情報取得ステップにて取得した権利情報を用いて、上記コンテンツの再生制限を解除する制限解除ステップとを含むことを特徴としている。
【００６３】
本発明のコンテンツ再生装置の制御方法は、コンテンツを配信するコンテンツ再生システムから、通信ネットワークを介して、上記再生制限がかけられているコンテンツを受信するコンテンツ受信ステップと、上記コンテンツ受信ステップにて受信した上記コンテンツの再生制限を解除するための権利情報を受け渡す手段としての記録媒体から、該権利情報を取得する権利情報取得ステップと、上記権利情報取得ステップにて取得した権利情報を用いて、上記コンテンツの再生制限を解除する制限解除ステップとを含むことを特徴としている。
【００６４】
したがって、コンテンツの不正再生を防止しつつ、安全で確実にコンテンツ代金の回収を行うことが可能となるという効果を奏する。
【発明を実施するための最良の形態】
【００６５】
本発明の一実施形態について図面に基づいて説明すると以下の通りである。本実施形態に係るコンテンツ配信システムでは、本発明のコンテンツ再生装置を、配信されたコンテンツ（音楽データなど）を通信網および携帯電話網を介してダウンロードし再生する携帯電話機として説明する。
【００６６】
また、本発明のコンテンツ提供装置を、該装置が有する機能を、通信網を介して互いに通信可能な２つの装置が分散して有する構成として説明する。２つの装置とはすなわち、通信網を介して上記携帯電話機にコンテンツを配信する、コンテンツ提供事業者のコンテンツ提供サーバと、コンテンツ提供事業者と提携するコンビニエンスストアなどの各店舗に設置された、上記コンテンツ提供サーバと通信可能なＰＯＳ端末装置とである。ＰＯＳ端末装置は、上記コンテンツ提供サーバから依頼を受けて、ユーザの携帯電話機に供給すべき権利情報を記録したカードを発券・販売し、コンテンツ提供事業者の代わりに、携帯電話機のユーザからコンテンツの代価を回収する機能を有する。
【００６７】
〔コンテンツ配信システムの概要〕
図２は、本発明の実施形態にかかるコンテンツ配信システムの概略構成を示す図である。図２に示すように、コンテンツ配信システム１００は、コンテンツを再生するユーザの携帯電話機１と、ユーザにコンテンツを供給するコンテンツ提供サーバ２と、コンテンツ代価と引き換えに権利情報を供給するＰＯＳ端末装置３とを含んでいる。図２には、ＰＯＳ端末装置３を１つしか示していないが、ＰＯＳ端末装置３は、コンテンツ提供サーバ２を所有するコンテンツ提供事業者と事業提携するコンビニエンスストアなどの各店舗に設置される。これにより、携帯電話機１のユーザは、所望のコンテンツを再生するための権利情報を、どの店舗からでも簡単に購入することができる。コンテンツ提供サーバ２およびＰＯＳ端末装置３は、携帯電話機１にコンテンツを提供するためのコンテンツ提供システム２００を構築している。
【００６８】
携帯電話機１およびコンテンツ提供サーバ２は、通信網を介して接続されており、互いに通信可能である。また、コンテンツ提供サーバ２およびＰＯＳ端末装置３も同様である。なお、携帯電話機１およびＰＯＳ端末装置３は、赤外線通信やBluetooth（登録商標）などによる近距離無線通信機能を有しており、互いに近距離無線通信を行うことが可能である。
【００６９】
携帯電話機１は、コンテンツ提供サーバ２に対しコンテンツを要求し、取得するものである。本実施形態では、携帯電話機１は、コンテンツ提供サーバ２に対して２種類の要求を実行する。すなわち、コンテンツの購入するためのコンテンツ購入要求（このとき、課金処理が発生する）と、コンテンツを購入する前に購入を検討しているコンテンツの試聴を行うためのコンテンツ試聴要求とである。
【００７０】
携帯電話機１は、試聴要求メッセージ（Ｄ１）をコンテンツ提供サーバ２に送信して、コンテンツ試聴要求を実行する。また、購入要求メッセージ（Ｄ３）をコンテンツ提供サーバ２に送信して、コンテンツ購入要求を実行する。
【００７１】
このように、ユーザは、コンテンツの購入の前に、コンテンツを試聴してコンテンツを購入するか否かを十分検討することができる。
【００７２】
コンテンツ購入要求を行ったのちは、ＰＯＳ端末装置３に対して、購入したコンテンツの権利情報の発券を要求して（発券要求メッセージ（Ｄ４））、権利情報（Ｄ７）を取得する。そして、権利情報を利用して、コンテンツを再生する。
【００７３】
コンテンツ提供サーバ２は、携帯電話機１の要求に応じてコンテンツを配信するものである。コンテンツ提供サーバ２は、携帯電話機１の試聴要求メッセージ（Ｄ１）に応じて、試聴可能なコンテンツを配信する。
【００７４】
本実施形態では、コンテンツ提供サーバ２は、試聴要求メッセージ（Ｄ１）に応じて、暗号化コンテンツ（Ｄ２）を配信する。本実施形態における暗号化コンテンツとは、暗号化されて再生ができないコンテンツデータと、暗号化されずに再生可能なコンテンツデータとから構成されている。すなわち、コンテンツの全部ではなく部分的に再生（試聴）可能な状態のコンテンツのことである。
【００７５】
例えば、コンテンツが音楽データである場合、曲の最初の数秒分のデータだけ暗号化せずにそのままの状態にしておくことが考えられる。そして、そのような暗号化コンテンツをダウンロードした携帯電話機１は、コンテンツのすべてを再生できないものの、最初の数秒分を再生することができ、ユーザはコンテンツの試聴を行うことが可能となる。
【００７６】
これにより、コンテンツ提供事業者は、ユーザに対して、コンテンツを入手／コピーできる自由を与えつつ、コンテンツの正規利用のために必ず権利情報（復号鍵）を購入しなければならない仕組みを構築することができる。よって、コンテンツ提供業者は利益を得ることができる。
【００７７】
また、コンテンツ提供サーバ２は、携帯電話機１から購入要求メッセージ（Ｄ３）を受け付けると、どのユーザからどのコンテンツを受注したかを記録して課金処理を行う。そして、ＰＯＳ端末装置３からの問合せ（Ｄ５）に応じて、受注したコンテンツに対応する権利情報を発券するようＰＯＳ端末装置３に依頼する（発券依頼メッセージ（Ｄ６））。
【００７８】
ＰＯＳ端末装置３は、コンテンツ提供サーバ２からの依頼に応じて携帯電話機１が購入したコンテンツに対応する権利情報を生成し、該権利情報を記録したカードを発券し（権利情報（Ｄ７））、販売するものである。本実施形態では、ＰＯＳ端末装置３は、カードを発券する印刷部３ａを有しており、そこに権利情報を出力してバーコードに変換したものを印字する。
【００７９】
まず、ＰＯＳ端末装置３は、携帯電話機１から近距離無線通信機能を利用して、発券要求メッセージ（Ｄ４）を受け付けると、コンテンツ提供サーバ２に対してどのコンテンツの権利情報を発券すべきかの問合せを行う（受注確認メッセージ（Ｄ５））。そして、コンテンツ提供サーバ２からの発券依頼メッセージ（Ｄ６）に基づいて権利情報を生成し、権利情報（Ｄ７）を、携帯電話機１のユーザに供給する。
【００８０】
ここで、ＰＯＳ端末装置３は、コンテンツ提供サーバ２に代わり、権利情報（Ｄ７）と引き換えにユーザからコンテンツの代価を回収する。これにより、金品の授受が安全かつ確実に実行される。
【００８１】
次に、携帯電話機１、コンテンツ提供サーバ２、および、ＰＯＳ端末装置３の構成の詳細についてそれぞれ説明する。
【００８２】
〔コンテンツ提供システムの構成〕
図１は、本実施形態にかかるコンテンツ提供サーバ２およびＰＯＳ端末装置３を含むコンテンツ提供システム２００の要部構成を示す図である。
【００８３】
（コンテンツ提供サーバ）
図１に示すとおり、コンテンツ提供サーバ２は、コンテンツ提供サーバ２の各部を統括制御する制御部４０、および、記憶部５０を備えている。
【００８４】
また、ここでは図示しないが、コンテンツ提供サーバ２は、通信網を介して携帯電話機１またはＰＯＳ端末装置３との間でデータの送受信を行う通信部を備えている。
【００８５】
通信部は、携帯電話機１と通信を行って、携帯電話機１からコンテンツ試聴（購入）要求を受け付けたり、携帯電話機１に暗号化コンテンツを配信したりする。また、ＰＯＳ端末装置３と通信を行って、ＰＯＳ端末装置３から受注確認メッセージを受信したり、ＰＯＳ端末装置３に発券依頼メッセージを送信したりする。
【００８６】
記憶部５０は、制御部４０が実行する制御プログラム、ＯＳプログラム、および、携帯電話機１にコンテンツを提供するために必要な処理を実行するときに読み出す各種データを記録するものであり、ハードディスクなどの不揮発性の記憶装置によって構成されるものである。記憶部５０に記憶される上記各種データとしては、例えば、コンテンツを記憶するコンテンツＤＢ５１、上記コンテンツの暗号（復号）鍵を管理する権利情報管理ＤＢ５２、携帯電話機１から受け付けたコンテンツ購入要求を管理する受注管理ＤＢ５３などが挙げられる。
【００８７】
制御部４０は、上述の各部を制御して、携帯電話機１の要求に応じてコンテンツを配信するための各種処理を実行する。制御部４０は、機能ブロックとしての、コンテンツ要求受付部４１、コンテンツ暗号化部４２、受注管理部４３、および、発券依頼部４４を含んでいる。
【００８８】
コンテンツ要求受付部４１は、携帯電話機１からの試聴要求メッセージ（Ｄ１）を受け付けるものである。コンテンツ要求受付部４１は、試聴要求メッセージ（Ｄ１）から、どの携帯電話機１にどのコンテンツ（試聴可能データを含む暗号化コンテンツ）を配信すべきかを解析して、解析結果をコンテンツ暗号化部４２に伝達する。
【００８９】
コンテンツ暗号化部４２は、携帯電話機１が要求するコンテンツを暗号化して、暗号化コンテンツ（Ｄ２）を生成するものである。コンテンツ暗号化部４２は、コンテンツ要求受付部４１の解析結果にしたがって、要求されたコンテンツをコンテンツＤＢ５１の中から特定する。そして、権利情報管理ＤＢ５２の中から要求されたコンテンツ用の暗号鍵を用いて、上記特定したコンテンツを暗号化する。
【００９０】
さらに、本実施形態では、コンテンツ暗号化部４２は、試聴用コンテンツを生成するものとして機能する。すなわち、上記特定したコンテンツの全てではなく、一部を除いて暗号化する。よって、暗号化コンテンツは、暗号化されていない試聴可能データと、暗号化されて再生できない暗号化データとを含むことになる。本実施形態において、暗号化コンテンツは、試聴可能なデータを含む試聴用コンテンツでもある。
【００９１】
なお、試聴用コンテンツの配信方法は、上記に限定されない。例えば、試聴用コンテンツを別途作成しておき、コンテンツ暗号化部４２が、コンテンツのすべてが暗号化された暗号化コンテンツとともに試聴用コンテンツ（コンテンツの一部分）を携帯電話機１に配信するようにしてもよい。あるいは、所定回数だけ再生可能なコンテンツを配信するようにしてもよい。例えば、コンテンツのすべてが暗号化された暗号化コンテンツとともに、１回だけ再生可能な試聴用コンテンツを携帯電話機１に配信するようにしてもよい。このような試聴用コンテンツには、試聴用のデータをＲＡＭなどにのみ一時的に記憶し、１回だけ再生するように携帯電話機１を制御する制御プログラムが含まれている。
【００９２】
受注管理部４３は、携帯電話機１からの購入要求メッセージ（Ｄ３）を受け付けて受注管理を行うものである。受注管理部４３は、購入要求メッセージ（Ｄ３）から、どの携帯電話機１がどのコンテンツを購入したのかを解析して、解析結果を受注管理ＤＢ５３に格納する。これにより、携帯電話機１と、提供すべきコンテンツとの紐付けが行える。
【００９３】
また、ＰＯＳ端末装置３からの受注状況について問合せを受け付けたときは、問合せの内容に応じて、どの携帯電話機１からどのコンテンツの購入要求を受け付けたのかを示す受注情報を受注管理ＤＢ５３から抽出して、発券依頼部４４に伝達する。
【００９４】
上述のように、受注管理ＤＢ５３に受注情報が正常に記憶されることにより課金処理が完了する。すなわち、携帯電話機１のユーザには、コンテンツ提供サーバ２の所有者であるコンテンツ提供事業者に対し、購入したコンテンツの代価を支払う義務が生じる。
【００９５】
発券依頼部４４は、購入を受け付けたコンテンツに対応する権利情報を発券するようＰＯＳ端末装置３に依頼するものである。発券依頼部４４は、受注管理部４３が上記問合せに応じて抽出した受注情報が含まれる発券依頼メッセージ（Ｄ６）をＰＯＳ端末装置３に送信して、携帯電話機１が購入したコンテンツに対応する権利情報を携帯電話機１のユーザに発券するよう依頼する。
【００９６】
これにより、ＰＯＳ端末装置３は、発券依頼部４４の発券依頼メッセージ（Ｄ６）にしたがって、正しい権利情報を携帯電話機１のユーザに供給することが可能となる。
【００９７】
なお、上記機能ブロックとして示される各部は、ＣＰＵ（central processing unit）が不図示のＲＯＭ（read only memory）等の記憶装置に記憶されているプログラムをＲＡＭ（random access memory）等に読み出して実行することで実現できる。すなわち、上記各機能ブロック、コンテンツ要求受付部４１、コンテンツ暗号化部４２、受注管理部４３、および、発券依頼部４４は、上記ＣＰＵが上記記憶装置に格納されたプログラムを実行し、図示しない入出力回路などの周辺回路を制御することによって実現される。
【００９８】
（ＰＯＳ端末装置）
図１に示すとおり、ＰＯＳ端末装置３は、ＰＯＳ端末装置３の各部を統括制御する制御部６０、記憶部７０、印刷部３ａ、および、携帯電話機１と赤外線通信などの近距離通信を行う近距離無線通信部３０を備えている。
【００９９】
また、ここでは図示しないが、ＰＯＳ端末装置３は、通信網を介してコンテンツ提供サーバ２との間でデータの送受信を行う通信部を備えている。
【０１００】
通信部は、コンテンツ提供サーバ２と通信を行って、コンテンツ提供サーバ２に受注確認メッセージを送信したり、コンテンツ提供サーバ２から発券依頼メッセージを受信したりする。
【０１０１】
印刷部３ａは、制御部６０の制御にしたがって、記録媒体としてのカードに、権利情報をバーコードの状態で印字し出力するものである。
【０１０２】
近距離無線通信部３０は、携帯電話機１との間で近距離無線通信を行って各種データを送受信するものである。携帯電話機１から端末ＩＤ（端末特定情報）とともに、権利情報を要求する発券要求メッセージを受信するものである。また、該メッセージに応じて、対応する権利情報を携帯電話機１に近距離無線通信にて送信してもよい。
【０１０３】
記憶部７０は、制御部６０が実行する制御プログラム、ＯＳプログラム、および、携帯電話機１に供給する権利情報を生成、発券するために必要な処理を実行するときに読み出す各種データを記録するものであり、ハードディスクなどの不揮発性の記憶装置によって構成されるものである。記憶部７０に記憶される上記各種データとしては、例えば、コンテンツごとの復号鍵を管理する権利情報ＤＢ７１、および、権利情報の販売（発券）履歴を管理する販売管理ＤＢ７２などが挙げられる。
【０１０４】
制御部６０は、上述の各部を制御して、コンテンツ提供サーバ２からの依頼に応じて携帯電話機１が購入したコンテンツに対応する権利情報を生成し、発券・販売するための各種処理を実行する。制御部６０は、機能ブロックとしての、端末ＩＤ取得部６１、受注確認部６２、権利情報生成部６３、および、権利情報出力部６４を含んでいる。
【０１０５】
端末ＩＤ取得部６１は、近距離無線通信部３０が携帯電話機１の受信した端末ＩＤを取得することにより、携帯電話機１からの発券要求メッセージ（Ｄ４）を受け付けるものである。
【０１０６】
端末ＩＤとは、携帯電話機１を一意に識別するために付与されるユニークな番号のことである。端末ＩＤの具体例としては、携帯電話機１のハードウェア自体に割り当てられているＩＭＥＩ（International Mobile Equipment Identity）や、ＳＩＭカードに記録されているＩＭＳＩ（International Mobile Subscriber Identity）などが挙げられる。
【０１０７】
このような端末ＩＤを携帯電話機１から受け付けることにより、コンテンツ提供システム２００において、権利情報要求元の携帯電話機１を一意に識別することが可能となる。
【０１０８】
受注確認部６２は、端末ＩＤ取得部６１が発券要求メッセージ（Ｄ４）を受け付けたことに応じて、コンテンツ提供サーバ２に対して受注確認メッセージ（Ｄ５）を送信するものである。これにより、要求元の携帯電話機１がどのコンテンツについて購入処理を行ったのかをＰＯＳ端末装置３が確認することができる。すなわち、要求元の携帯電話機１に供給すべき権利情報を特定することができる。
【０１０９】
権利情報生成部６３は、受注確認部６２の上記受注確認メッセージ（Ｄ５）に対する回答である発券依頼メッセージ（Ｄ６）をコンテンツ提供サーバ２から受信し、それに応じて権利情報を生成するものである。権利情報生成部６３は、要求元の携帯電話機１において購入手続がふまれたコンテンツを再生可能にする復号鍵を、権利情報ＤＢ７１から抽出し、それを含む権利情報を生成する。
【０１１０】
権利情報ＤＢ７１には、コンテンツと権利情報（復号鍵）との対応関係が記憶されている。権利情報生成部６３は、発券依頼メッセージ（Ｄ６）に含まれるコンテンツＩＤ（コンテンツ特定情報）に基づいて、携帯電話機１に供給すべき復号鍵を、権利情報ＤＢ７１の中から特定する。
【０１１１】
権利情報出力部６４は、権利情報生成部６３が生成した権利情報を、携帯電話機１が直接読み取り可能な記録媒体に、直接出力し記録するものである。
【０１１２】
ここで直接とは、ＬＡＮやインターネットなど、通信過程で傍受される危険性の高い通信網を介さずに、ＰＯＳ端末装置３から携帯電話機１へ権利情報の授受が行われる状態を指す。
【０１１３】
例えば、携帯電話機１に内蔵されていない、携帯電話機１の利用者に受け渡す手段としての外部の記録媒体であって、携帯電話機１が読み取り可能な記録媒体に権利情報を出力したり、近距離無線通信手段を用いて携帯電話機１が読み取り可能な記録媒体に権利情報を出力したりすることなどが挙げられる。
【０１１４】
より具体的には、権利情報の授受を直接行う方法としては、
（方法１）ＰＯＳ端末装置３が権利情報をバーコードとして紙の記録媒体に印字したもの（カード）を、携帯電話機１のユーザに販売し、携帯電話機１に読み取らせる、
（方法２）ＰＯＳ端末装置３が権利情報を磁気の記録媒体に記録したもの（磁気カード）を、携帯電話機１のユーザに販売し、携帯電話機１に読み取らせる、
（方法３）ＰＯＳ端末装置３が権利情報をＩＣチップに記録したもの（ＩＣカード）を、携帯電話機１のユーザに販売し、携帯電話機１に読み取らせる、
（方法４）赤外線やBluetooth（登録商標）を利用した近距離無線通信手段（近距離無線通信部３０）を用いて、ＰＯＳ端末装置３が携帯電話機１内蔵の記録媒体に書き込む、ことなどが挙げられる。
【０１１５】
ただし、権利情報の授受は、コンテンツ代価が回収されたことを前提に実行されるので、方法４を採用する場合は、権利情報出力部６４を、購入されたコンテンツの代価の回収が完了したことを検知した後、権利情報を携帯電話機１に出力するように構成する。
【０１１６】
以上のように、コンテンツ代価が回収された後に、権利情報の授受が直接実行されるため、安全で、確実に金品の授受を行えるコンテンツ配信システム１００を構築することが可能となる。
【０１１７】
また、方法１〜３を採用する場合は、権利情報を記録する記録媒体のタイプに応じて、カードライタ部をＰＯＳ端末装置３に設ける。カードライタ部は、権利情報出力部６４によって制御される。図１に示す例では、カードライタ部として、バーコードを印字する印刷部３ａを示す。また、権利情報出力部６４が出力した権利情報を記録する記録媒体のタイプに応じてカードリーダ部を携帯電話機１に設ける。携帯電話機１の構成の詳細については後述する。
【０１１８】
ここで、方法１を採用する場合、カードに印字されているバーコードとは、一定の規則で識別情報がパターン化された図形で示されているものを指す。本願発明では、例えば、財団法人流通システム開発センターで管理されている、既存のバーコードシステムに準拠したもののほかに、表現したい識別情報と図形パターンとを本発明のコンテンツ配信システム１００独自に関連付けしたものをバーコードとして採用してもよい。
【０１１９】
さらに、上記カード（記録媒体）には、上記バーコードの印字領域を隠蔽する隠蔽部が設けられており、上記バーコードは、上記隠蔽部を除去したのち所定時間経過後に消去されるよう印字されていてもよい。例えば、光を通さない材質の隠蔽部と、光が照射されると消えるような材質のインクでバーコードを印字するなどが考えられる。
【０１２０】
方法３を採用する場合、ＰＯＳ端末装置３は、印刷部３ａの代わりに非接触ＩＣカードに情報を書き込むカードライタ部（図示せず）を備えている。非接触ＩＣカードのコストは、方法１のように紙でできたカードにバーコードを印字するのと比較しても、近年では安価になっている。バーコードを印字したカードの代わりに、非接触ＩＣカードに記録して権利情報を販売した場合、カードを使い捨てずに何度でも再利用することができる。例えば、コンテンツ１つにつき料金を支払い、ＩＣカードに権利情報を記録する。その使い終えた権利情報を記憶したＩＣカードは捨てずに、別の新しいコンテンツが購入された場合に、新しいコンテンツに対応する権利情報に書き換えればよい。そして、携帯電話機１は、ＩＣカードの情報を読み取るカードリーダ部を備えている。
【０１２１】
以上のように、本発明のコンテンツ配信システム１００では、権利情報を記憶するためのＩＣカードを携帯電話機１が内蔵せずに、携帯電話機１と別体のＩＣカードにして販売する。これにより、携帯電話機１のユーザとＩＣカードの販売者との間で、直接確実に料金の支払・回収を実施する機会を生み出すことができる。したがって、セキュリティの面で比較的脆弱な携帯電話機１において、料金がオンラインの課金処理により自動で引き落とされることに、抵抗を感じるユーザも安心して、コンテンツ配信システム１００を利用することが可能となる。
【０１２２】
上述のいずれの方法において権利情報を販売する場合も、コンテンツ提供事業者の立場からすれば、コンテンツ料金と等価である権利情報を、別の携帯電話機や別のユーザに使用されてしまっては、利益を回収する機会を失うことになり不都合である。そこで、正規の購入者が使用した後は、別の携帯電話機や別のユーザが使用できない状態で、権利情報を記録し販売することが好ましい。
【０１２３】
例えば、方法１では、カードのバーコード印字部分を、印刷直後にシールを貼った形で販売する。そして、シールを除去することによりバーコード印字部分が読み取り可能になる。その一方で、印刷の染料を工夫し一定時間が経過すると印字部分が消えるという対策を行うことが挙げられる。
【０１２４】
また、方法３でのＩＣカードの場合であれば、カードに記憶されたデータは、読み取るだけでなく、書き込み・消去が可能である。したがって、権利情報が携帯電話機１により読み取られた後に、カードの権利情報は消去または別の情報が上書きされて、再利用されないようにすることができる。
【０１２５】
なお、上記機能ブロックとして示される各部は、ＣＰＵ（central processing unit）が不図示のＲＯＭ（read only memory）等の記憶装置に記憶されているプログラムをＲＡＭ（random access memory）等に読み出して実行することで実現できる。すなわち、上記各機能ブロック、端末ＩＤ取得部６１、受注確認部６２、権利情報生成部６３、および、権利情報出力部６４は、上記ＣＰＵが上記記憶装置に格納されたプログラムを実行し、図示しない入出力回路などの周辺回路を制御することによって実現される。
【０１２６】
コンテンツ提供サーバ２およびＰＯＳ端末装置３を含む上記コンテンツ提供システム２００によれば、ＰＯＳ端末装置３は、携帯電話機１から発券要求メッセージ（Ｄ４）を受け付けたのに応じて、携帯電話機１が取得した暗号化コンテンツ（Ｄ２）を再生可能にするための権利情報（Ｄ７）を生成し、バーコードとしてカードに印字する。カードに印字されたバーコードは、携帯電話機１が読み取り可能なバーコードである。
【０１２７】
このように権利情報（Ｄ７）をカードにして出力することにより、ＰＯＳ端末装置３を設置した店舗が、権利情報（Ｄ７）を携帯電話機１のユーザに直接販売することが可能となる。すなわち、携帯電話機１のユーザから、現金（またはクレジットカードなど）を、インターネットなどの公衆通信網を介さず直接受け取ることによって、上記店舗がコンテンツ代価を回収することができる。また、所定の金額が支払われた後、その場で上記カードがユーザに手渡される。
【０１２８】
このように、インターネットなどの公衆通信網によるオンライン決済ではなく、権利情報（Ｄ７）をカードで出力し、コンテンツの代価を直接回収するという形態で金品の授受を実現する。また、自由に配信されコピーされるのは暗号化コンテンツ（Ｄ２）のみであり、権利情報（Ｄ７）および復号されて利用可能となったコンテンツは、公衆通信網を経由することによる傍受にさらされる危険もなくなる。
【０１２９】
以上のことから、コンテンツの不正再生を防止しつつ、安全で確実にコンテンツ代金の回収を行うコンテンツ配信システムを構築することが可能となる。
【０１３０】
さらに、上述のコンテンツ提供システム２００の構成によれば、コンテンツ提供サーバ２の受注管理部４３は、携帯電話機１からの購入要求メッセージ（Ｄ３）を受け付けて、携帯電話機１と、提供すべきコンテンツとの紐付けを管理する。
【０１３１】
続いて、ＰＯＳ端末装置３の端末ＩＤ取得部６１が、携帯電話機１から発券要求メッセージ（Ｄ４）を受け付けると、受注確認部６２が発券要求メッセージ（Ｄ４）に含まれる端末ＩＤを上記受注管理部４３に送信して、上記端末ＩＤが示す携帯電話機１に提供すべきコンテンツを問い合わせる（発券依頼メッセージ（Ｄ６））。
【０１３２】
受注管理部４３は、受注確認部６２から受け取った端末ＩＤに紐付けられているコンテンツを示すコンテンツＩＤをＰＯＳ端末装置３の権利情報生成部６３に送信する（発券依頼メッセージ（Ｄ６））。
【０１３３】
これにより、コンテンツ提供システム２００の機能が、複数の装置に分散されている場合でも、携帯電話機１と、購入コンテンツとの紐付けを適切に管理することができる。すなわち、携帯電話機１からコンテンツの購入を受け付けて課金処理を行う装置（コンテンツ提供サーバ２）と、権利情報を出力してコンテンツ代価を回収する装置（ＰＯＳ端末装置３）とに分散されている場合でも、携帯電話機１の発券要求メッセージ（Ｄ４）に応じて、適切な権利情報（Ｄ７）をカードに出力し、携帯電話機１のユーザに販売することが可能である。
【０１３４】
また、上述のように装置を分散させる場合でも、ユーザは、携帯電話機１の端末ＩＤをＰＯＳ端末装置３の端末ＩＤ取得部６１に読み取らせるだけでよく、購入コンテンツを指定したり、携帯電話機１の端末ＩＤを入力したりする操作を別途行う必要がない。
【０１３５】
したがって、ユーザの購入操作を繁雑にすることなく、ＰＯＳ端末装置３をさまざまな場所に複数設置することが可能になる。以上のことから、権利情報の傍受や代金回収の安全性・確実性を維持したまま、金品の授受の機会を増やし、ユーザの利便性を向上させることが可能となる。また、ユーザがコンテンツを購入する機会が増えることから、コンテンツ提供事業者の収益を上げることが可能となる。
【０１３６】
〔携帯電話機の構成〕
次に、上述のコンテンツ提供システム２００により提供されたコンテンツを再生する携帯電話機１について説明する。図３は、本実施形態にかかる携帯電話機１の要部構成を示す図である。図３に示すとおり、携帯電話機１は、携帯電話機１の各部を統括制御する制御部１１、ＲＡＭ（random access memory）１２、ＲＯＭ（read only memory）１３、外部メモリ１４、無線通信部１５、操作部１６、表示部１７、音声出力部１８、および、カメラ部１９などを備えている。
【０１３７】
制御部１１は、ＲＯＭ１３に記録されている各種プログラムを読み出して、本発明の携帯電話機１の各部を制御し、各種処理を行う。
【０１３８】
ＲＡＭ１２には、制御部１１が実行する各種処理の過程で必要となるデータを一時的に記憶するものであり、揮発性の記憶装置によって構成される。例えば、コンテンツ提供サーバ２から配信された暗号化コンテンツ（Ｄ２）を再生する場合には、それに含まれる試聴可能データが、試聴データ記憶部３１に一時的に書き込まれる。また、携帯電話機１が読み取った権利情報（Ｄ７）のバーコードのデータは、バーコードデータ記憶部３２に一時的に書き込まれる。
【０１３９】
ＲＯＭ１３には、制御部１１が実行する制御プログラム、ＯＳプログラム、および、制御部１１が、各種処理を実行するときに読み出す各種データを記録するものであり、ハードディスクなどの不揮発性の記憶装置によって構成される。
【０１４０】
上記制御プログラムとしては、例えば、インターネット接続プログラム、コンテンツダウンロードプログラム、コンテンツ試聴／再生プログラム、バーコード識別プログラムなどが挙げられる。
【０１４１】
また、携帯電話機１は、外部メモリ１４から各種データを読み取る機能を備えている。外部メモリ１４からのデータの取得方法としては、通信網を介してダウンロードする、もしくは、ＳＤカード、スマートメディア、ＵＳＢメモリ等の記録媒体を携帯電話機１に接続することによって取得するなどが考えられる。あるいは、携帯電話機１内に内蔵されるフラッシュＲＯＭなどによって実現してもよい。
【０１４２】
コンテンツ提供サーバ２からダウンロードしたコンテンツは、コンテンツ記憶部３３に記憶される。また、権利情報（Ｄ７）から読み取ったバーコードのデータから抽出された権利情報は、権利情報記憶部３４に記憶される。
【０１４３】
無線通信部１５は、外部の情報処理装置（コンテンツ提供サーバ２・ＰＯＳ端末装置３）と無線通信を行うものである。無線通信部１５は、無線通信アンテナで構成されており、携帯電話網における中継基地局との無線通信を行って、電話、電子メール、インターネット等の通信機能を実現する。
【０１４４】
さらに、無線通信部１５は、ＩｒＤＡ（Infrared Data Association）などの赤外線通信を行うための近距離無線通信部を備えている。これにより、ＰＯＳ端末装置３との近距離無線通信が可能となる。
【０１４５】
操作部１６は、携帯電話機１の各種機能を操作するためのボタンである。このボタンを押下した信号は、制御部１１に送られる。これにより、制御部１１は、ユーザの操作に応じた処理を実行することが可能となる。
【０１４６】
表示部１７は、液晶表示装置（ＬＣＤ）などからなり、携帯電話機１に備わった各種アプリケーション機能の実行画面を表示する。ダウンロードしたコンテンツが映像データである場合、該映像データが含む映像を表示する。
【０１４７】
音声出力部１８は、携帯電話機１において電話機能を実行した場合の受話時のスピーカとして構成される。また、ダウンロードしたコンテンツが音声データであったり、映像データに音声が含まれていたりした場合は、それらの音声データをＤ／Ａ変換したものを音声出力する。
【０１４８】
カメラ部１９は、ＣＣＤ（Charge Coupled Device）等の撮像素子からなる撮像手段であり、制御部１１からの指示に基づいて被写体を撮像する。カメラ部１９は、権利情報（Ｄ７）のカードに印字されたバーコードを撮影する。カメラ部１９が撮影したバーコード画像は、バーコードデータ記憶部３２に記憶され、画像認識処理時に制御部１１によって読み出される。
【０１４９】
制御部１１は、上述の各部を制御して、コンテンツ配信システム１００において、コンテンツ提供サーバ２より配信されるコンテンツにかかる一連の処理を実行する。すなわち、制御部１１は、機能ブロックとしての、コンテンツ要求取得部２１、購入処理部２２、端末ＩＤ送信部２３、権利情報読取部２４、コンテンツ復号部２５、および、コンテンツ再生部２６を含んでいる。
【０１５０】
コンテンツ要求取得部２１は、コンテンツ提供サーバ２に試聴要求メッセージ（Ｄ１）を送信して、試聴用コンテンツ、すなわち、暗号化コンテンツ（Ｄ２）を要求し、コンテンツ提供サーバ２からそれを取得するものである。
【０１５１】
具体的には、例えば、携帯電話機１の無線通信部１５は、コンテンツ提供サーバ２が運営するＷＥＢサイトに携帯電話機１がアクセスし、表示部１７に試聴可能なコンテンツの一覧を表示する。ユーザが、操作部１６を操作して、ＷＥＢサイトに挙げられているコンテンツの１つを選択する。このとき、試聴用コンテンツのダウンロードを指示するボタンが表示され、それをユーザに選択させてもよい。
【０１５２】
このユーザの操作に応じて、コンテンツ要求取得部２１は、ユーザにより選択されたコンテンツを識別するコンテンツＩＤと、試聴用コンテンツの要求メッセージであることを示す情報とを試聴要求メッセージ（Ｄ１）に含めて生成する。無線通信部１５が、試聴要求メッセージ（Ｄ１）をコンテンツ提供サーバ２に送信する。
【０１５３】
購入処理部２２は、コンテンツ提供サーバ２に購入要求メッセージ（Ｄ３）を送信して、コンテンツの発注をコンテンツ提供サーバ２に対して実行するものである。
【０１５４】
具体的には、例えば、コンテンツ提供サーバ２から取得した暗号化コンテンツ（Ｄ２）に含まれる試聴可能データには、当該データを再生した後に、購入するか否かをユーザに問合せるメッセージボックスを表示部１７に表示するよう命令プログラムが含まれているとする。携帯電話機１が試聴可能データを再生した後に、上記メッセージボックスが表示され、ユーザが操作部１６を用いて表示された「購入する」のボタンを選択する。
【０１５５】
このユーザの操作に応じて、購入処理部２２は、ユーザにより購入されたコンテンツを識別するコンテンツＩＤと、コンテンツ購入の要求メッセージであることを示す情報とを購入要求メッセージ（Ｄ３）に含めて生成する。無線通信部１５が、購入要求メッセージ（Ｄ３）をコンテンツ提供サーバ２に送信する。これにより、コンテンツ提供サーバ２は、選択されたコンテンツに対する課金処理を実行することができる。
【０１５６】
端末ＩＤ送信部２３は、無線通信部１５が備える近距離無線通信部を制御して、通信可能圏内にある近距離の装置に、携帯電話機１の端末ＩＤを送信するものである。
【０１５７】
例えば、ユーザが携帯電話機１をＰＯＳ端末装置３の近距離無線通信部３０に近づけることにより、端末ＩＤ送信部２３は、端末ＩＤを含む発券要求メッセージ（Ｄ４）をＰＯＳ端末装置３に送信することができる。
【０１５８】
権利情報読取部２４は、ＰＯＳ端末装置３が記録媒体に出力した権利情報を当該記録媒体から読み取るものである。
【０１５９】
本実施形態では、ＰＯＳ端末装置３は、上述の（方法１）により、バーコードを印字したカードを出力する。よって、本実施形態では、権利情報読取部２４は、カードに記録されたバーコードを識別して、権利情報を抽出する機能を有するものとして説明する。
【０１６０】
権利情報読取部２４は、まず、カメラ部１９がカードを撮像することにより得られたバーコード画像を識別して、バーコードデータをバーコードデータ記憶部３２に格納する。そして、権利情報読取部２４は、上記バーコードデータから、権利情報のデータを抽出する。この権利情報の抽出は、ＰＯＳ端末装置３の印刷部３ａを制御する権利情報出力部６４が実行したパターン符号化処理と対になる復号化処理により実現される。
【０１６１】
権利情報読取部２４は、抽出した権利情報を外部メモリ１４の権利情報記憶部３４に格納する。格納した権利情報（に含まれた復号鍵）は、コンテンツ記憶部３３に記憶されている暗号化コンテンツ（Ｄ２）を再生するときに利用される。
【０１６２】
コンテンツ復号部２５は、暗号化コンテンツ（Ｄ２）を、復号鍵を用いて復号し、再生可能なコンテンツを生成するものである。本実施形態では、暗号化コンテンツ（Ｄ２）のうち暗号化されている部分（暗号化データ）を、権利情報記憶部３４に記憶されている権利情報（Ｄ７）（復号鍵が含まれている）を用いて復号し、復号済データに変換する。そして、コンテンツ復号部２５は、暗号化コンテンツ（Ｄ２）を、再生可能コンテンツ（Ｄ８）として、改めて、コンテンツ記憶部３３に格納する。なお、復号された復号済データ（または、それを含む再生可能コンテンツ（Ｄ８））は、コピーや転送できないようにロックがされた状態でコンテンツ記憶部３３に格納される。
【０１６３】
これにより、暗号化コンテンツ（Ｄ２）は、別の端末にコピーしたり転送したり電子メールに添付して他の携帯電話機に配布することが可能であるが、権利情報（Ｄ７）・再生可能コンテンツ（Ｄ８）はそれができないため、新たに権利情報（Ｄ７）を記録したカードを購入して、新たな権利情報を転送先の携帯電話機に保存しなければ、コンテンツを利用することができないようになっている。
【０１６４】
ここで、暗号化コンテンツ（Ｄ２）および権利情報（Ｄ７）がコンテンツ記憶部３３および権利情報記憶部３４にそれぞれ複数記憶されている場合には、携帯電話機１はコンテンツと権利情報の対応関係を確認する必要がある。
【０１６５】
コンテンツ復号部２５は、暗号化コンテンツ（Ｄ２）に含まれるコンテンツＩＤと一致するコンテンツＩＤが含まれる権利情報（Ｄ７）を権利情報記憶部３４から抽出し、コンテンツの復号を行う。上記暗号化コンテンツ（Ｄ２）の暗号化データを暗号化した暗号鍵と、上記権利情報（Ｄ７）に含まれる復号鍵とが対であれば、コンテンツ復号部２５は、復号に成功し、再生可能コンテンツ（Ｄ８）を生成することが可能となる。
【０１６６】
コンテンツ再生部２６は、コンテンツ記憶部３３に記憶された暗号化コンテンツ（Ｄ２）のうち、暗号化されていない部分（試聴可能データ）、および、復号された再生可能コンテンツ（Ｄ８）を再生するものである。
【０１６７】
コンテンツ再生部２６は、再生対象のコンテンツをコンテンツ記憶部３３から読み出して、音声データであれば音声出力部１８に出力し、映像データであれば表示部１７に出力する。なお、試聴可能データがＲＡＭ１２にのみ一時的に保存されるタイプのものであれば、ＲＡＭ１２の試聴データ記憶部３１から試聴可能データを読み出して、音声出力部１８および／または表示部１７に出力する。
【０１６８】
なお、上記機能ブロックとして示される各部は、ＣＰＵ（central processing unit）がＲＯＭ１３等の記憶装置に記憶されているプログラムをＲＡＭ１２等に読み出して実行することで実現できる。すなわち、上記各機能ブロック、コンテンツ要求取得部２１、購入処理部２２、端末ＩＤ送信部２３、権利情報読取部２４、コンテンツ復号部２５、および、コンテンツ再生部２６は、上記ＣＰＵが上記記憶装置に格納されたプログラムを実行し、図示しない入出力回路などの周辺回路を制御することによって実現される。
【０１６９】
〔コンテンツ配信システムの処理フロー〕
次に、携帯電話機１、コンテンツ提供サーバ２、および、ＰＯＳ端末装置３を含むコンテンツ配信システム１００における各装置の処理の流れを図４および図５に基づき説明する。
【０１７０】
図４は、コンテンツ配信システム１００における各装置の処理の流れを示すシーケンス図である。図５は、図４に示す処理過程において、各装置間で授受される各種データおよび各装置が保持する各種データのデータ構造を示す図である。
【０１７１】
図４に示すユーザの携帯電話機１は、コンテンツ提供事業者のコンテンツ提供サーバ２に、携帯電話網およびインターネットを通じてアクセスする。
【０１７２】
まず、携帯電話機１のコンテンツ要求取得部２１は、ユーザが試聴したいと望むコンテンツの選択を操作部１６を介して受け付けると、試聴要求メッセージ（Ｄ１）を生成し、コンテンツ提供サーバ２に送信する（Ｓ１０１）。試聴要求メッセージ（Ｄ１）は、図５に示すとおり、当該メッセージが試聴を要求するメッセージである旨を示す情報と、コンテンツを一意に識別するためのコンテンツＩＤと、コンテンツ提供サーバ２が要求元の携帯電話機１を識別するための端末ＩＤとを含んでいる。
【０１７３】
コンテンツ提供サーバ２は、インターネットを介して携帯電話機１からの試聴要求メッセージ（Ｄ１）を受信する。コンテンツ要求受付部４１は、試聴要求メッセージ（Ｄ１）を解析して解析結果をコンテンツ暗号化部４２に伝達する。
【０１７４】
コンテンツ暗号化部４２は、試聴要求メッセージ（Ｄ１）に含まれるコンテンツＩＤに基づいて、コンテンツＤＢ５１の中から暗号化すべきコンテンツを特定する。図５に示すとおり、コンテンツＤＢ５１には、コンテンツＩＤに対応付けてコンテンツ本体のデータが格納されている。また、コンテンツごとに、ユーザが支払うべき料金の情報を格納しておいてもよい。
【０１７５】
コンテンツ暗号化部４２は、特定したコンテンツ本体のうち、一部を除いてコンテンツのデータを暗号化する。このとき暗号化の処理には、上記特定したコンテンツに対応して管理されている暗号鍵を用いる。コンテンツ暗号化部４２は、権利情報管理ＤＢ５２から、暗号化に用いるべき暗号鍵を上記コンテンツＩＤに基づいて取得する。
【０１７６】
図５に示す例では、権利情報管理ＤＢ５２では、暗号鍵は権利ＩＤに対応付けて管理されているが、１コンテンツにつき、１種類の鍵対しか割り当てられていない場合は、権利ＩＤを設けずともコンテンツＩＤにて対応関係の管理を行える。したがって、権利ＩＤを省略し、コンテンツＩＤのみに対応付けて各鍵を管理してＤＢを簡略化してもよい。
【０１７７】
以上のようにして、コンテンツ暗号化部４２は、暗号化コンテンツ（Ｄ２）を生成する（Ｓ１０２）。暗号化コンテンツ（Ｄ２）は、図５に示すとおり、コンテンツＩＤと、コンテンツ本体とを含んでおり、該コンテンツ本体は、暗号化されていない試聴可能データと、暗号化されている暗号化データとからなる。試聴可能データは、そのまま携帯電話機１が再生することが可能なデータである。一方、暗号化データは、上記暗号鍵と対になる復号鍵を用いて復号しなければ再生することができないデータである。
【０１７８】
携帯電話機１のコンテンツ要求取得部２１は、コンテンツ提供サーバ２から暗号化コンテンツ（Ｄ２）を取得してコンテンツ記憶部３３に格納する。そして、コンテンツ再生部２６は、コンテンツ記憶部３３に記憶されている暗号化コンテンツ（Ｄ２）のうち、試聴可能データを読み出して、表示部１７および／または音声出力部１８に出力する（Ｓ１０３）。これにより、ユーザは自身が選択したコンテンツの試聴を行うことができる。
【０１７９】
そして、ユーザは試聴の後に上記コンテンツを購入したいと希望する場合には、表示部１７に表示されているＧＵＩ（graphical user interface）画面における「コンテンツ購入」ボタンを操作部１６を用いて選択して購入手続を行う。
【０１８０】
購入処理部２２は、ユーザの購入手続を受け付けて購入要求メッセージ（Ｄ３）を生成し、コンテンツ提供サーバ２に送信する（Ｓ１０４）。購入要求メッセージ（Ｄ３）は、図５に示すとおり、当該メッセージが購入を要求するメッセージである旨を示す情報と、コンテンツを一意に識別するためのコンテンツＩＤと、コンテンツ提供サーバ２が要求元の携帯電話機１を識別するための端末ＩＤとを含んでいる。
【０１８１】
コンテンツ提供サーバ２の受注管理部４３は、携帯電話機１から受信した購入要求メッセージ（Ｄ３）を解析して、解析結果（すなわち、受注情報）を受注管理ＤＢ５３に格納し、受注の処理を行う（Ｓ１０５）。図５に示すとおり、受注管理ＤＢ５３には、購入要求メッセージ（Ｄ３）に含まれるコンテンツＩＤおよび端末ＩＤが対応付けて格納されている。また、コンテンツごとに、ユーザが支払うべき料金の情報を格納しておいてもよい。これにより、どのユーザからどのコンテンツが購入されたのか（また、料金をいくら回収すべきか）を管理することができる。受注管理部４３が、購入要求メッセージ（Ｄ３）に基づいて、上記受注情報を受注管理ＤＢ５３に格納したことにより、課金処理が完了する。
【０１８２】
なお、課金処理完了の後、コンテンツ提供サーバ２は、課金処理が正常に完了したことを通知するメッセージを携帯電話機１に返信してもよい。例えば、「コンテンツをご購入いただきありがとうございました。お近くのコンビニエンスストアにて権利情報をお求め下さい。」などのメッセージとともに、権利情報を販売している店舗の案内を送信してもよい。
【０１８３】
携帯電話機１の購入処理が完了すると、ユーザは、携帯電話機１を持って、ＰＯＳ端末装置３が設置されている店舗に行く。ここで、携帯電話機１とＰＯＳ端末装置３との間で、権利情報の授受に関する処理が実行される。携帯電話機１は、無線通信部１５の近距離無線通信部を介して、ＰＯＳ端末装置３と近距離無線通信を行う。
【０１８４】
まず、携帯電話機１の端末ＩＤ送信部２３は、自装置の端末ＩＤを、権利情報の発券要求メッセージ（Ｄ４）として（図５）、無線通信部１５の近距離無線通信部を介してＰＯＳ端末装置３に送信する（Ｓ１０６）。
【０１８５】
ＰＯＳ端末装置３の近距離無線通信部３０が、発券要求メッセージ（Ｄ４）を受信すると、端末ＩＤ取得部６１は、発券要求メッセージ（Ｄ４）に含まれる携帯電話機１の端末ＩＤを取得し（Ｓ１０７）、受注確認部６２に伝達する。
【０１８６】
続いて、受注確認部６２は、端末ＩＤ取得部６１が取得した端末ＩＤに基づいて、どのコンテンツについての権利情報を発券すべきかを特定するために、コンテンツ提供サーバ２に対して受注情報の確認を行う（Ｓ１０８）。具体的には、受注確認部６２は、上記端末ＩＤに基づいて受注確認メッセージ（Ｄ５）を生成し、インターネットを介してコンテンツ提供サーバ２に送信する。
【０１８７】
受注確認メッセージ（Ｄ５）は、図５に示すとおり、問合せ元である店舗をコンテンツ提供サーバ２が一意に識別するための店舗ＩＤと、どの携帯電話機１についての受注情報を問合せているのかを示す端末ＩＤとを含んでいる。
【０１８８】
コンテンツ提供サーバ２の受注管理部４３は、ＰＯＳ端末装置３の受注確認部６２から受け付けた受注確認メッセージ（Ｄ５）に応じて、発券依頼メッセージ（Ｄ６）を返す（Ｓ１０９）。具体的には、受注管理部４３は、受注確認メッセージ（Ｄ５）に含まれている端末ＩＤに基づいて、受注管理ＤＢ５３から、当該端末ＩＤにかかる受注情報を抽出する。すなわち、コンテンツＩＤ（および、金額）を抽出する。
【０１８９】
そして、発券依頼部４４は、問合せのあった端末ＩＤに関連付けて、受注管理部４３が抽出したコンテンツＩＤ（および金額）を含めて、図５に示す発券依頼メッセージ（Ｄ６）を生成し、ＰＯＳ端末装置３に送信する。
【０１９０】
これにより、ＰＯＳ端末装置３は、発券要求メッセージ（Ｄ４）を受け付けた携帯電話機１に対して、どのコンテンツの権利情報（復号鍵）を出力すればよいのかを特定することが可能となる。
【０１９１】
次に、ＰＯＳ端末装置３の権利情報生成部６３は、コンテンツ提供サーバ２から受信した発券依頼メッセージ（Ｄ６）に応じて、権利情報（Ｄ７）を生成する（Ｓ１１０）。具体的には、権利情報生成部６３は、発券依頼メッセージ（Ｄ６）に含まれるコンテンツＩＤに基づいて、権利情報ＤＢ７１から当該コンテンツＩＤに関連付けられた復号鍵を抽出する。
【０１９２】
図５に示すとおり、権利情報ＤＢ７１には、コンテンツＩＤに関連付けて、復号鍵が記憶されている。この復号鍵は、権利情報管理ＤＢ５２にコンテンツごとに記憶されている暗号鍵と対になっている。また、さらに、復号鍵ごとに利用条件（利用機関、利用回数など）が設定されていてもよい。この場合、権利情報生成部６３は、コンテンツに対応する利用条件もともに抽出する。
【０１９３】
続いて、権利情報生成部６３は、発券依頼メッセージ（Ｄ６）に含まれるコンテンツＩＤに対応付けて、抽出した復号鍵（および、利用条件）を含めて権利情報（Ｄ７）を生成する（図５）。この権利情報（Ｄ７）に含まれる復号鍵は、コピー・転送が行えないようにロックされているデータである。
【０１９４】
次に、権利情報出力部６４は、権利情報生成部６３が生成した権利情報（Ｄ７）を、バーコードに変換するための符号化処理を行って印刷部３ａに出力する。権利情報出力部６４の制御にしたがって、印刷部３ａは、権利情報（Ｄ７）をバーコードとして印字したカードを出力する（Ｓ１１１）。権利情報出力部６４は、発券依頼メッセージ（Ｄ６）に基づき、ユーザから回収すべきコンテンツ料金が過不足なく回収されたことを検知して（店員が入金完了の指示をＰＯＳ端末装置３に入力する、など）、その後にバーコードを印字したカードを出力する。
【０１９５】
ここで、ＰＯＳ端末装置３は、納品管理部（図示せず）を備えていてもよい。納品管理部は、販売管理ＤＢ７２の情報を操作して、コンテンツ料金の回収状況と、権利情報の納品状況とを管理するものである。具体的には、納品管理部は、権利情報出力部６４が所定の権利情報（Ｄ７）を出力したのちに、コンテンツ料金の回収と、権利情報の供給とが無事に完了したとして、納品情報（すなわち、販売日（料金回収日）、端末ＩＤ、コンテンツＩＤ、および、金額を関連付けたもの）を販売管理ＤＢ７２に格納する（図５）。
【０１９６】
そして、納品管理部は、納品情報（端末ＩＤとコンテンツＩＤとの関連付け）を納品・代価回収完了メッセージとしてコンテンツ提供サーバ２に送信する。コンテンツ提供サーバ２の受注管理部４３は、納品と代価回収とが完了したレコードを、上記端末ＩＤとコンテンツＩＤとの関連付けに基づき国定して、受注管理ＤＢ５３からの消し込み作業を実行する。これにより、重複受注、重複納品などのリスクを低減することが可能となる。
【０１９７】
続いて、ユーザにより購入された、権利情報（Ｄ７）を記録したカードから、携帯電話機１の権利情報読取部２４は、バーコードを読み取って、権利情報（復号鍵）抽出する（Ｓ１１２）。
【０１９８】
コンテンツ復号部２５は、権利情報読取部２４が抽出した復号鍵を用いて、Ｓ１０３で取得した暗号化コンテンツ（Ｄ２）のうちの暗号化データを復号し、復号済データに変換する。ここで、暗号化コンテンツ（Ｄ２）を生成するときに用いられた暗号鍵と、上記抽出された復号鍵とが対になっていれば（Ｓ１１３においてＹＥＳ）、コンテンツ復号部２５は、コンテンツ復号に成功する（Ｓ１１４）。そして、暗号化コンテンツ（Ｄ２）は、試聴可能データと復号済データとからなるコンテンツ本体を含む再生可能コンテンツ（Ｄ８）として（図５）、コンテンツ記憶部３３に格納される。復号済データは、復号鍵と同様、コピー・転送が行えないようにロックされているデータである。
【０１９９】
最後に、コンテンツ再生部２６は、コンテンツ記憶部３３に記憶された再生可能コンテンツ（Ｄ８）を読み出して、ユーザが購入したコンテンツを再生する（Ｓ１１５）。
【０２００】
一方、上記暗号鍵と上記復号鍵とが対になっていない場合は（Ｓ１１３においてＮＯ）、暗号化コンテンツ（Ｄ２）は復号されない（Ｓ１１６）。そして、コンテンツ再生エラーとなる（Ｓ１１７）。ここで、コンテンツを再生することができない旨を示すエラーメッセージを表示部１７に表示させてもよい。
【０２０１】
上記コンテンツ配信システムおよび方法によれば、コンテンツ提供サーバ２の受注管理部４３は、携帯電話機１からの購入要求メッセージ（Ｄ３）を受け付けて、携帯電話機１と、提供すべきコンテンツとの紐付けを管理する。
【０２０２】
続いて、携帯電話機１の端末ＩＤ送信部２３が、無線通信部１５を介して、ＰＯＳ端末装置３の近距離無線通信部３０に端末ＩＤを送信する。そして、ＰＯＳ端末装置３の端末ＩＤ取得部６１が、携帯電話機１から発券要求メッセージ（Ｄ４）を受け付けると、受注確認部６２が発券要求メッセージ（Ｄ４）に含まれる端末ＩＤを上記受注管理部４３に送信して、上記端末ＩＤが示す携帯電話機１に提供すべきコンテンツを問い合わせる（発券依頼メッセージ（Ｄ６））。
【０２０３】
受注管理部４３は、受注確認部６２から受け取った端末ＩＤに紐付けられているコンテンツを示すコンテンツＩＤをＰＯＳ端末装置３の権利情報生成部６３に送信する（発券依頼メッセージ（Ｄ６））。
【０２０４】
これにより、コンテンツ提供システム２００の機能が、複数の装置に分散されている場合でも、携帯電話機１と、購入コンテンツとの紐付けを適切に管理することができる。すなわち、携帯電話機１からコンテンツの購入を受け付けて課金処理を行う装置（コンテンツ提供サーバ２）と、権利情報を出力してコンテンツ代価を回収する装置（ＰＯＳ端末装置３）とに分散されている場合でも、携帯電話機１の発券要求メッセージ（Ｄ４）に応じて、適切な権利情報（Ｄ７）をカードに出力し、携帯電話機１のユーザに販売することが可能である。
【０２０５】
また、上述のように装置を分散させる場合でも、ユーザは、携帯電話機１の端末ＩＤをＰＯＳ端末装置３の端末ＩＤ取得部６１に読み取らせるだけでよく、購入コンテンツを指定したり、携帯電話機１の端末ＩＤを入力したりする操作を別途行う必要がない。
【０２０６】
したがって、ユーザの購入操作を繁雑にすることなく、ＰＯＳ端末装置３をさまざまな場所に複数設置することが可能になる。以上のことから、権利情報の傍受や代金回収の安全性・確実性を維持したまま、金品の授受の機会を増やし、ユーザの利便性を向上させることが可能となる。また、ユーザがコンテンツを購入する機会が増えることから、コンテンツ提供事業者の収益を上げることが可能となる。
【０２０７】
そして、携帯電話機１の権利情報読取部２４は、ユーザが入手したカードから、バーコードを読み取って識別し、暗号化コンテンツ（Ｄ２）を復号するための権利情報（コンテンツＩＤ＋復号鍵）を抽出する。
【０２０８】
コンテンツ復号部２５は、暗号化コンテンツ（Ｄ２）のコンテンツＩＤと一致する復号鍵を用いて、暗号化コンテンツ（Ｄ２）の暗号化データを復号する。
【０２０９】
上記暗号化データを暗号化したときの暗号鍵と、上記復号鍵とが対になっている場合には、暗号化データは、復号され復号済データに変換され、再生可能コンテンツ（Ｄ８）が生成される。
【０２１０】
コンテンツ再生部２６は、再生可能コンテンツ（Ｄ８）を再生する。
【０２１１】
上記権利情報（Ｄ７）および再生可能コンテンツ（Ｄ８）は、不正コピーされないようロックがかかっているデータである。
【０２１２】
以上のことから、コンテンツの不正再生を防止しつつ、安全で確実にコンテンツ代金の回収を行うコンテンツ配信システムを構築することが可能となる。
【０２１３】
従来のコンテンツ配信システムでは、コンテンツの代価の回収は、オンライン決済システムが採用されており、セキュリティの面で比較的脆弱な携帯電話機にクレジットカードの情報を登録して利用することには、抵抗を感じるユーザが多く、コンテンツの販売の促進を妨げる要因となっていた。
【０２１４】
しかし、本発明のコンテンツ配信システムによれば、権利情報を記録するカードを出力することにより、該カードと引き換えに直接コンテンツ代価を回収できるため、より安全・確実にコンテンツ代価の支払・回収を行うことができる。
【０２１５】
また、権利情報の発券のために、コンテンツＩＤなどのコード入力操作が必要ないため、携帯電話機１で簡便に権利情報の入手（コンテンツの購入）が行える。これにより、老人や子供のユーザにも簡単に利用できるコンテンツ配信システムを構築することが可能となる。
【０２１６】
また、コンテンツ提供サーバ２では、携帯電話機１の試聴要求メッセージ（Ｄ１）に応じて、暗号化コンテンツ（Ｄ２）とともに試聴可能データを配信することが可能である。これにより、携帯電話機１は、購入手続の前にコンテンツを無償で自由に試聴することが可能となり、コンテンツ提供事業者によって、コンテンツの販売促進の効果が期待できる。
【０２１７】
（変形例）
上述した実施形態では、コンテンツ配信システム１００における、コンテンツ提供システム２００の機能を、コンテンツ提供サーバ２およびＰＯＳ端末装置３の２つの装置に分散させた場合について説明したが、本発明のコンテンツ配信システム１００の構成はこれに限定されない。コンテンツ提供システム２００は、１つの装置、すなわち、コンテンツ提供装置として実現されてもよい。
【０２１８】
この場合、ユーザの携帯電話機１と、購入要求がなされたコンテンツとの紐付け管理、権利情報出力のための受注確認、および、権利情報発券依頼などが不要になるため、コンテンツ配信システム１００における各種装置の構成が簡素化されるというメリットがある。
【０２１９】
図６は、ＰＯＳ端末装置３の権利情報生成部６３、権利情報出力部６４、および、権利情報ＤＢ７１を、コンテンツ提供サーバ２が備える場合の、コンテンツ配信システム１００における各装置の処理の流れを示すシーケンス図である。
【０２２０】
図４のシーケンス図と異なる点は、以下のとおりである。
【０２２１】
携帯電話機１は、Ｓ２０４において購入要求メッセージ（Ｄ３）をコンテンツ提供サーバ２に送信することによって、権利情報の発券要求を行っている。したがって、Ｓ１０６の発券要求メッセージ（Ｄ４）を送信するステップが不要となる。
【０２２２】
また、Ｓ１０７〜Ｓ１０９の各ステップ（ユーザ（携帯電話機１）とコンテンツとの紐付け）を経ずとも、コンテンツ提供サーバ２は、携帯電話機１からの購入要求メッセージ（Ｄ３）に応じて、適切な権利情報（Ｄ７）を出力できる。
【０２２３】
以上のことからコンテンツ提供装置としてのコンテンツ提供サーバ２の構成は、図１に示すコンテンツ提供システム２００の構成と比べてシンプルになるというメリットがある。
【０２２４】
結果として、よりシンプルな構成で、コンテンツの不正再生を防止しつつ、安全で確実にコンテンツ代金の回収を行うコンテンツ配信システムを実現することが可能となる。
【０２２５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２２６】
最後に、携帯電話機１、コンテンツ提供サーバ２、および、ＰＯＳ端末装置３の各ブロック、特に、コンテンツ暗号化部４２、受注管理部４３、端末ＩＤ取得部６１、権利情報生成部６３、および、権利情報出力部６４は、ハードウェアロジックによって構成してもよいし、次のようにＣＰＵを用いてソフトウェアによって実現してもよい。
【０２２７】
すなわち、携帯電話機１、コンテンツ提供サーバ２、および、ＰＯＳ端末装置３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１、コンテンツ提供サーバ２、および、ＰＯＳ端末装置３の制御プログラムのプログラムコード（実行形式プログラム、中間コードプログラム、ソースプログラム）をコンピュータで読み取り可能に記録した記録媒体を、上記携帯電話機１、コンテンツ提供サーバ２、および、ＰＯＳ端末装置３に供給し、そのコンピュータ（またはＣＰＵやＭＰＵ）が記録媒体に記録されているプログラムコードを読み出し実行することによっても、達成可能である。
【０２２８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２９】
また、携帯電話機１、コンテンツ提供サーバ２、および、ＰＯＳ端末装置３を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２３０】
本発明のコンテンツ提供装置、コンテンツ提供システムによれば、コンテンツ代価の回収およびコンテンツを復号する権利情報の供給を安全かつ確実に行うことができる。したがって、音楽データや映像データなどのコンテンツを再生するコンテンツ再生装置に対し、暗号化したコンテンツとは別に、該コンテンツを復号するための権利情報を供給するコンテンツ提供装置、コンテンツ提供システムに好適に用いることが可能である。
【図面の簡単な説明】
【０２３１】
【図１】本発明の実施形態にかかるコンテンツ提供システムの要部構成を示す図である。
【図２】本発明の実施形態にかかるコンテンツ配信システムの概略構成を示す図である。
【図３】本実施形態にかかる携帯電話機の要部構成を示す図である。
【図４】本発明の実施形態にかかるコンテンツ配信システムにおける各装置の処理の流れを示すシーケンス図である。
【図５】本発明の実施形態にかかるコンテンツ配信システムの処理過程において、各装置間で授受される各種データおよび各装置が保持する各種データのデータ構造を示す図である。
【図６】本発明の実施形態にかかる他のコンテンツ配信システムにおける各装置の処理の流れを示すシーケンス図である。
【符号の説明】
【０２３２】
１  携帯電話機（コンテンツ再生装置）
２  コンテンツ提供サーバ
３  ＰＯＳ端末装置（権利情報出力装置）
３ａ  印刷部
１１  制御部
１２  ＲＡＭ
１３  ＲＯＭ
１４  外部メモリ
１５  無線通信部（通信手段）
１６  操作部
１７  表示部
１８  音声出力部
１９  カメラ部
２１  コンテンツ要求取得部
２２  購入処理部
２３  端末ＩＤ送信部
２４  権利情報読取部（権利情報取得手段）
２５  コンテンツ復号部（制限解除手段）
２６  コンテンツ再生部
３０  近距離無線通信部
３１  試聴データ記憶部
３２  バーコードデータ記憶部
３３  コンテンツ記憶部
３４  権利情報記憶部
４０  制御部
４１  コンテンツ要求受付部
４２  コンテンツ暗号化部（コンテンツ送信手段）
４３  受注管理部（コンテンツ特定手段）
４４  発券依頼部（コンテンツ特定手段）
５０  記憶部
５１  コンテンツＤＢ
５２  権利情報管理ＤＢ
５３  受注管理ＤＢ（受注情報記録部）
６０  制御部
６１  端末ＩＤ取得部（コンテンツ特定手段）
６２  受注確認部（コンテンツ特定手段）
６３  権利情報生成部（権利情報特定手段）
６４  権利情報出力部（権利情報記録手段）
７０  記憶部
７１  権利情報ＤＢ（権利情報記録部）
７２  販売管理ＤＢ
１００  コンテンツ配信システム
２００  コンテンツ提供システム
【図１】
2008134739.tif 000003
【図２】
2008134739.tif 000004
【図３】
2008134739.tif 000005
【図４】
2008134739.tif 000006
【図５】
2008134739.tif 000007
【図６】
2008134739.tif 000008